(57)【要約】【課題】  ハンドルの形状に関して改良された打撃工具を提供する。【解決手段】  打撃工具であって、工具本体部１０１に接続されるハンドル１０９を有する。ハンドル１０９は、先端工具１１９の長軸方向に延在する軸線を挟んで配置され、作業者の左右の手にそれぞれ把持される一対のハンドル要素１５１で構成される。一対のハンドル要素１５１は、工具本体部１０１に接続され、軸線と交差する方向に延在する接続部１５３と、接続部１５３に接続されて接続部１５３の延在方向と交差する方向に延在する把持部１５５を有する。一対のハンドル要素１５１の一方の把持部１５５と他方の把持部１５５は、軸線の所定位置で当該軸線と直交する単一の直交面が２つの把持部１５５を通るように配置される。一対のハンドル要素１５１のうち、少なくとも一方の把持部１５５にモータ１１０を操作可能なスイッチ１５９が設けられている。【選択図】  図４
2015066629.tif 000002
【特許請求の範囲】
【請求項１】
先端工具が長軸方向に直線動作する打撃工具であって、
前記先端工具を駆動するためのモータを有する工具本体部と、
前記工具本体部に接続されるハンドルと、を有し、
前記ハンドルは、前記先端工具の長軸方向に延在する軸線を挟んで配置され、作業者の左右の手によりそれぞれ把持される一対のハンドル要素で構成されており、
前記一対のハンドル要素のうち、一方のハンドル要素は、前記工具本体部に接続され、前記軸線と交差する方向に延在する第１接続部と、前記第１接続部の前記工具本体部に接続される側と反対側の端部に接続され、当該第１接続部の延在方向と交差する方向に延在する第１把持部とを有し、
前記一対のハンドル要素のうち、他方のハンドル要素は、前記工具本体部に接続され、前記軸線と交差する方向に延在する第２接続部と、前記第２接続部の前記工具本体部に接続される側と反対側の端部に接続され、当該第２接続部の延在方向と交差する方向に延在する第２把持部とを有し、
前記第１把持部と前記第２把持部は、前記軸線の所定位置で当該軸線と直交する単一の直交面が前記第１把持部と前記第２把持部を通るように配置されており、
前記第１把持部と前記第２把持部のうち、少なくとも一方の把持部に前記モータを操作可能なスイッチが設けられていることを特徴とする打撃工具。
【請求項２】
請求項１に記載の打撃工具であって、
前記第１把持部と前記第２把持部は、互いに平行に配置されていることを特徴とする打撃工具。
【請求項３】
請求項２に記載の打撃工具であって、
前記第１把持部と前記第２把持部が延在する方向に直交する方向であって、且つ前記直交面に平行な方向から見たときに、前記第１把持部と前記第２把持部は、互いに重なるように配置されていることを特徴とする打撃工具。
【請求項４】
請求項１〜３のいずれか１項に記載の打撃工具であって、
前記軸線が延在する方向から見たときに、前記第１把持部と前記第２把持部は、前記軸線に関して対称に配置されていることを特徴とする打撃工具。
【請求項５】
請求項１〜４のいずれか１項に記載の打撃工具であって、
前記一方のハンドル要素においては、前記第１把持部が延在する方向に関して、前記第１接続部が所定の間隔で２つ設けられ、当該２つの第１接続部と前記第１把持部と前記工具本体部により環状の閉じ空間が形成されており、
前記他方のハンドル要素においては、前記第２把持部が延在する方向に関して、前記第２接続部が所定の間隔で２つ設けられ、当該２つの第２接続部と前記第２把持部と前記工具本体部により環状の閉じ空間が形成されていることを特徴とする打撃工具。
【請求項６】
請求項１〜５のいずれか１項に記載の打撃工具であって、
前記ハンドルとは別の第２ハンドルを有し、
前記第２ハンドルは、前記軸線を挟んで配置され、作業者の左右の手によりそれぞれ把持される一対の第２ハンドル要素で構成され、
前記一対の第２ハンドル要素のうち、一方の第２ハンドル要素は、前記工具本体部に接続され、前記軸線と交差する方向に延在する第３接続部と、前記第３接続部の前記工具本体部に接続される側と反対側の端部に接続され、当該第３接続部の延在方向と交差する方向に延在する第３把持部とを有し、
前記一対の第２ハンドル要素のうち、他方の第２ハンドル要素は、前記工具本体部に接続され、前記軸線と交差する方向に延在する第４接続部と、前記第４接続部の前記工具本体部に接続される側と反対側の端部に接続され、当該第４接続部の延在方向と交差する方向に延在する第４把持部とを有し、
前記第３把持部と前記第４把持部は、前記直交面が前記第３把持部と前記第４把持部を通るように配置されており、
前記第３把持部と前記第４把持部のうち、少なくとも一方の把持部に前記モータを操作可能な、前記スイッチとは別の第２スイッチが設けられていることを特徴とする打撃工具。
【請求項７】
請求項６に記載の打撃工具であって、
前記第１把持部、前記第２把持部、前記第３把持部及び前記第４把持部が、前記工具本体部を囲む環状に配置されていることを特徴とする打撃工具。
【請求項８】
請求項６又は７に記載の打撃工具であって、
前記第１把持部と前記第２把持部の間の距離と、前記第３把持部と前記第４把持部の間の距離が異なることを特徴とする打撃工具。
【請求項９】
請求項１〜５のいずれか１項に記載の打撃工具であって、
前記工具本体部に弾性部材を介して相対移動可能に連結された防振ハウジングを有し、
前記ハンドルは、前記防振ハウジングに連結されており、前記防振ハウジングを介して前記工具本体部に接続されていることを特徴とする打撃工具。
【請求項１０】
請求項６〜９のいずれか１項に記載の打撃工具であって、
前記工具本体部に弾性部材を介して相対移動可能に連結された防振ハウジングを有し、
前記ハンドル及び前記第２ハンドルは、前記防振ハウジングに連結されており、前記防振ハウジングを介して前記工具本体部に接続されていることを特徴とする打撃工具。
【発明の詳細な説明】
【技術分野】
【０００１】
本発明は、先端工具が少なくとも長軸方向に直線動作することで被加工材に所定の加工作業を行う打撃工具に関する。
【背景技術】
【０００２】
特開２００５−２５４４２３号公報は、下向きのハツリ作業に使用される大型の電動ハンマを開示している。電動ハンマは、工具本体のうち、先端工具としてのハンマビットが装着される先端領域とは反対側の後端部に作業者が左右の手により把持するハンドルを有している。このハンドルは、工具本体の後端部側面からハンマビットの長軸方向に交差する左右方向に突出状に設けられた一対の棒状グリップにより構成されている。
【先行技術文献】
【特許文献】
【０００３】
【特許文献１】特開２００５−２５４４２３号公報
【発明の概要】
【発明が解決しようとする課題】
【０００４】
特開２００５−２５４４２３号公報に記載の大型の電動ハンマは、作業者が一対の棒状グリップを両手で把持し、ハンマビットを下向きにした状態でコンクリート等にハツリ作業を行うように構成されている。しかしながら、特開２００５−２５４４２３号公報に記載の棒状グリップにより構成されるハンドルは、その形状に関して改善の余地がある。
【０００５】
本発明は、上記に鑑みてなされたものであり、ハンドルの形状に関して改良された打撃工具を提供することを目的とする。
【課題を解決するための手段】
【０００６】
上記課題を達成するため、本発明に係る打撃工具の好ましい形態によれば、先端工具が長軸方向に直線動作する打撃工具が構成される。打撃工具は、先端工具を駆動するためのモータを有する工具本体部と、工具本体部に接続されるハンドルと、を有する。ハンドルは、先端工具の長軸方向に延在する軸線を挟んで配置され、作業者の左右の手によりそれぞれ把持される一対のハンドル要素で構成されている。一対のハンドル要素のうち、一方のハンドル要素は、工具本体部に接続され、軸線と交差する方向に延在する第１接続部と、第１接続部の工具本体部に接続される側と反対側の端部に接続され、当該第１接続部の延在方向と交差する方向に延在する第１把持部とを有する。一対のハンドル要素のうち、他方のハンドル要素は、工具本体部に接続され、軸線と交差する方向に延在する第２接続部と、第２接続部の工具本体部に接続される側と反対側の端部に接続され、当該第２接続部の延在方向と交差する方向に延在する第２把持部とを有する。第１把持部と第２把持部は、軸線の所定位置で当該軸線と直交する単一の直交面が第１把持部と第２把持部を通るように配置されている。そして、第１把持部と第２把持部のうち、少なくとも一方の把持部にモータを操作可能なスイッチが設けられている。
【０００７】
なお、本発明における「工具本体部に接続されるハンドル」とは、ハンドルがモータを収容する工具本体部に直接に接続される態様であってもよいし、ハンドルが工具本体部に弾性要素を介して相対移動可能に連結された構成の防振ハウジングに接続される態様であってもよいという意味である。また、本発明における「第１把持部」及び「第２把持部」の延在の態様については、それぞれが直線状に延在する態様、それぞれが湾曲状に延在する態様を包含する。また「第１把持部」と「第２把持部」は、典型的には互いに平行に延在する態様が好適であるが、平行でなくても構わない。また、本発明における「第１接続部」及び「第２接続部」については、工具本体部と把持部を接続し得る限り、その延在する方向及び形状は問わない。
【０００８】
本発明の打撃工具によれば、作業者は、第１把持部と第２把持部を左右の手により把持するとともに、一方の把持部に設けられたスイッチを操作してモータを駆動し、先端工具を直線動作させて所定の作業を行うことができる。
【０００９】
本発明における「一対のハンドル要素」は、先端工具の長軸方向に延在する軸線を挟んで配置される。典型的には先端工具の長軸方向に延在する軸線に関して線対称、例えば打撃工具の工具本体部に関して左右対称に形成される。従って、左右の手を平行に伸ばした状態での第１把持部及び第２把持部の把持を可能とする。本発明の打撃工具は、典型的には、先端工具を下側、ハンドルを上側にした下向き作業に使用される打撃工具として構成される。かかる打撃工具の場合、その使用状態では、作業者がハンドルに体を預けるような形態、すなわちハンドルに体重を掛けるような形態で使用することがある。このような形態で作業を遂行する場合において、本発明の打撃工具によれば、第１把持部と第２把持部は、軸線の所定位置で当該軸線と直交する単一の直交面が第１把持部と第２把持部を通るように配置された構成であり、使用状態では、第１把持部と第２把持部が同じ高さとなる。このため、作業者は、第１把持部と第２把持部が左右に位置するように打撃工具の位置を定めることで、左右の手を互いの掌が対向するように向けた状態で同じ高さ位置で第１把持部と第２把持部を把持することが可能となり、ハンドルに体重を掛ける形態での作業を無理のない姿勢で楽に行うことができる。
【００１０】
また、本発明によれば、ハンドルの第１把持部は、第１接続部の延在方向と交差する方向に延在するように配置され、また第２把持部は、第２接続部の延在方向と交差する方向に延在するように配置される。このため、例えば工具本体部の外面に対して当該外面から離れる方向に延在する棒状グリップにより構成される従来のハンドルと比べた場合、作業者が把持する把持部長さを容易に確保した上で、把持部に関しての工具本体部の外面から交差状に離れる方向の突出量を小さく抑えることが可能となる。これにより、先端工具の長軸方向と交差する方向に関する打撃工具の小型化が可能であり、使用性も向上する。
【００１１】
本発明に係る打撃工具の更なる形態によれば、第１把持部と第２把持部は、互いに平行に配置された構成とされる。この場合、第１把持部と第２把持部が延在する方向に直交する方向であって、且つ直交面に平行な方向から見たときに、第１把持部と第２把持部は、互いに重なるように配置されていることが好ましい。なお、第１把持部と第２把持部が重なる態様としては、把持部の全領域が重なってもよく、一部領域が重なってもよい。
【００１２】
本発明に係る打撃工具の更なる形態によれば、軸線が延在する方向から見たときに、第１把持部と第２把持部は、軸線に関して対称に配置された構成とされる。ここで「対称に配置される」態様としては、具体的には軸線に関して線対称に配置される態様、軸線中心に関して点対称に配置される態様をいう。
【００１３】
本発明に係る打撃工具の更なる形態によれば、一方のハンドル要素においては、第１把持部が延在する方向に関して、第１接続部が所定の間隔で２つ設けられ、当該２つの第１接続部と第１把持部と工具本体部により環状の閉じ空間が形成されている。また、他方のハンドル要素においては、第２把持部が延在する方向に関して、第２接続部が所定の間隔で２つ設けられ、当該２つの第２接続部と第２把持部と工具本体部により環状の閉じ空間が形成されている。すなわち、ハンドル要素それぞれに関して、環状の閉じ空間が形成されている。ここで「環状」とは、閉じ空間を形成することが可能な形状をいい、好ましくは環状に延在する方向に関して切れ目の無い連続した形状であることが好ましく、２つの接続部と両接続部間に配置される把持部とにより、例えばＵ字形、あるいはＣ字形を形成し、当該Ｕ字形の端部、あるいはＣ字形の端部を工具本体部に接続することで環状に形成することが可能である。
作業現場では、打撃工具は横倒し状態に置かれることがある。主として下向き作業に使用される打撃工具の場合、先端工具側に比べてモータを有する工具本体部側の方が重く、重心位置が上方、すなわち工具本体部側に偏在することが多い。このため、打撃工具が横倒しに置かれるとき、ハンドルが地面等から衝撃的な外力を受ける可能性がある。この形態によれば、ハンドル要素それぞれに関して、２つの接続部と把持部と工具本体部により環状の閉じ空間を形成する構成のため、一対の棒状グリップで構成される従来のハンドルに比べ、外力に対するハンドル強度を高め、工具本体部を保護できる。このように、ハンドル要素につき、環状に形成することで、地面等からハンドルへと入力された衝撃が分散され易く、応力集中の回避に有効性がある。応力の集中を回避するという意味においては、把持部と接続部との連接領域、及び接続部と工具本体部との接続領域につき、断面積の急変を避けるように曲面形状による連接構造とすることが好ましい。
【００１４】
本発明に係る打撃工具の更なる形態によれば、ハンドルとは別の第２ハンドルを有する。第２ハンドルは、軸線を挟んで配置され、作業者の左右の手によりそれぞれ把持される一対の第２ハンドル要素で構成される。一対の第２ハンドル要素のうち、一方の第２ハンドル要素は、工具本体部に接続され、軸線と交差する方向に延在する第３接続部と、第３接続部の工具本体部に接続される側と反対側の端部に接続され、当該第３接続部の延在方向と交差する方向に延在する第３把持部とを有する。一対の第２ハンドル要素のうち、他方の第２ハンドル要素は、工具本体部に接続され、軸線と交差する方向に延在する第４接続部と、第４接続部の工具本体部に接続される側と反対側の端部に接続され、当該第４接続部の延在方向と交差する方向に延在する第４把持部とを有する。第３把持部と第４把持部は、直交面が第３把持部と第４把持部を通るように配置されている。そして、第３把持部と第４把持部のうち、少なくとも一方の把持部にモータを操作可能な、スイッチとは別の第２スイッチが設けられている。なお、本発明における「第３接続部及び第４接続部が工具本体部に接続される」態様としては、第３接続部と第４接続部のそれぞれが工具本体部に直接に接続される態様であってもよいし、第３接続部がハンドルの第１接続部と第２接続部のいずれか一方を介して工具本体部に接続され、第４接続部がハンドルの第１接続部と第２接続部のいずれか他方を介して工具本体部に接続される態様であってもよい。
この形態によれば、作業者が左右の手によって、ハンドルの第１把持部と第２把持部を把持する形態と、第２ハンドルの第３把持部と第４把持部を把持する形態との間で、作業状況等に応じて把持形態を使い分けることが可能であり、その場合、ハンドルにつき、第１把持部と第２把持部のうちの少なくとも一方の把持部にスイッチを備え、また第２ハンドルにつき、第３把持部と第４把持部のうちの少なくとも一方の把持部に第２スイッチを備えているため、いずれの把持形態にあっても打撃工具の操作性を損なうことがない。
【００１５】
本発明に係る打撃工具の更なる形態によれば、第１把持部、第２把持部、第３把持部及び第４把持部が、工具本体部を囲む環状に配置されている。
このような構成とすることで、ハンドル強度を高めることが可能であるとともに、打撃工具が衝撃的に横倒し状に置かれたとき、地面等に対して工具本体部よりも先に接触する環状形状のハンドルがバンパーとして機能し、これにより工具本体部の地面等に対する直接的な干渉を回避し、工具本体部を保護できる。
【００１６】
本発明に係る打撃工具の更なる形態によれば、第１把持部と第２把持部の間の距離と、第３把持部と第４把持部間の距離が異なる。
この形態によれば、とりわけ、工具本体部が長方形状である場合において、第１把持部〜第４把持部が合理的に配置される。
【００１７】
本発明に係る打撃工具の更なる形態によれば、工具本体部に弾性部材を介して相対移動可能に連結された防振ハウジングを有する。そして、ハンドルは、防振ハウジングに連結され、当該防振ハウジングを介して工具本体部に接続されている。
この形態によれば、打撃工具による所定の作業時において、工具本体部から防振ハウジングへの振動伝達が弾性部材の弾性変形によって低減され、ひいてはハンドルへの振動伝達を低減する。
【００１８】
本発明に係る打撃工具の更なる形態によれば、工具本体部に弾性部材を介して相対移動可能に連結された防振ハウジングを有する。そして、ハンドル及び第２ハンドルは、防振ハウジングに連結され、当該防振ハウジングを介して工具本体部に接続されている。
この形態によれば、打撃工具による所定の作業時において、工具本体部から防振ハウジングへの振動伝達が弾性部材の弾性変形によって低減され、ひいてはハンドル及び第２ハンドルへの振動伝達を低減する。
【発明の効果】
【００１９】
本発明によれば、ハンドルの形状に関して改良された打撃工具が提供されることとなった。
【図面の簡単な説明】
【００２０】
【図１】本発明の第１実施形態に係る電動ハンマを示す正面図である。
【図２】電動ハンマの内部構造を示す断面図である。
【図３】図１のＡ矢視図である。
【図４】図１のＢ矢視図である。
【図５】図４のハンドル部を断面で示す図である。
【図６】本発明の第２実施形態に係る電動ハンマを示す正面図である。
【図７】電動ハンマの内部構造を示す断面図である。
【図８】図６のＣ矢視図である。
【図９】図６のＤ矢視図であり、且つハンドルの一部を断面で示す。
【発明を実施するための最良の形態】
【００２１】
（本発明の第１実施形態）
以下、本発明の第１実施形態につき、図１〜図５を参照しつつ詳細に説明する。本発明の第１実施形態は、打撃工具の一例として電動ハンマを用いて説明する。図１及び図２に示すように、本実施の形態に係る電動ハンマ１００は、ハンマビット１１９を装着し、装着されたハンマビット１１９を長軸方向に打撃動作させて、被加工材、例えばコンクリートに対してハツリ作業を行う打撃工具である。このハンマビット１１９が、本発明における「先端工具」に対応する。
【００２２】
電動ハンマ１００は、概括的に見て、電動ハンマ１００の外郭を形成する本体部１０１を主体として構成される。本体部１０１の先端領域には、ハンマビット１１９が筒状のツールホルダ１３１を介して着脱自在に取り付けられる。ハンマビット１１９は、ツールホルダ１３１のビット挿入孔内に挿入され、周方向への相対的な回動が規制された状態で保持される。この本体部１０１が、本発明における「工具本体部」に対応する。
【００２３】
本体部１０１は、電動モータ１１０を収容するモータハウジング１０３、運動変換機構１２０を収容するギアハウジング１０５及び打撃要素１４０を収容するバレル部１０４を主体として構成される。本体部１０１は、ハンマビット１１９の長軸方向に関して、ハンマビット１１９側からその反対側にかけて、バレル部１０４、ギアハウジング１０５、モータハウジング１０３の順序で配置され、それらは互いに固定状に組み付けられる。ハンマビット１１９の長軸方向に関して本体部１０１のハンマビット１１９と反対側には、外側ハウジング１０７が配置されるとともに、作業者が握るメインハンドル１０９が配置されている。なお、モータハウジング１０３とギアハウジング１０５については、一体に形成しても差し支えない。
【００２４】
なお、本実施形態に係る電動ハンマ１００は、概ね３０kgの重量を有する大型ハンマであり、基本的には作業者がメインハンドル１０９を左右の手によりそれぞれ把持し、ハンマビット１１９を下向きにした状態でハツリ作業を行う。従って、本実施形態では、便宜上、ハンマビット１１９の長軸方向、すなわち本体部１０１の長軸方向に関して、ハンマビット１１９側を、「下側」ないし「下方側」として規定し、その反対側を、「上側」ないし「上方側」として規定する。
【００２５】
電動モータ１１０は、交流（ＡＣ）電源からの給電によって駆動される構成であり、当該電動モータ１１０のモータ軸１１１がハンマビット１１９の長軸方向に延在する打撃軸線に対して交差するように配置されている。電動モータ１１０の回転は、運動変換機構１２０によって直線運動に適宜変換された上で打撃要素１４０に伝達され、当該打撃要素１４０を介してハンマビット１１９を長軸方向（図１における下方向）に打撃する。
【００２６】
運動変換機構１２０は、電動モータ１１０の回転運動を直線運動に変換して打撃要素１４０に伝達するものであり、電動モータ１１０の下方に配置され、複数のギアからなるギア減速機１１３を介して電動モータ１１０により駆動されるクランク軸１２１、連接ロッド１２３、ピストン１２５等からなるクランク機構によって構成される。ピストン１２５は、打撃要素１４０を駆動する駆動子を構成するものであり、シリンダ１４１内をハンマビット長軸方向と同方向に摺動可能とされる。なお、クランク軸１２１は、電動モータ１１０のモータ軸１１１と平行に配置されている。
【００２７】
打撃要素１４０は、シリンダ１４１内に摺動自在に配置された打撃子としてのストライカ１４３と、ツールホルダ１３１内に摺動自在に配置されるとともに、ストライカ１４３の運動エネルギをハンマビット１１９に伝達する中間子としてのインパクトボルト１４５とを主体として構成される。シリンダ１４１は、ツールホルダ１３１の上方に同心状に配置されるとともに、ピストン１２５及びストライカ１４３によって仕切られる空気室１４１ａを有する。ストライカ１４３は、ピストン１２５の摺動動作に伴う空気室１４１ａの空気ばねを介して駆動され、インパクトボルト１４５に衝突し、当該インパクトボルト１４５を介してハンマビット１１９を打撃する。
【００２８】
本体部１０１の上方側に配置された外側ハウジング１０７は、当該本体部１０１の構成部材のうち、モータハウジング１０３及びギアハウジング１０５を外側から覆う部材として備えられ、モータハウジング１０３に対して図示省略の弾性部材を介してハンマビット１１９の長軸方向に相対移動可能に連結されている。また、外側ハウジング１０７は、図示を省略するスライドガイド部材を介してモータハウジング１０３又はギアハウジング１０５にハンマビット１１９の長軸方向に摺動自在に案内されるように構成されている。このため、電動ハンマ１００を駆動してのハンマ作業時において、本体部１０１に発生したハンマビット１１９の長軸方向の振動は、弾性部材が弾性変形することで外側ハウジング１０７への伝達が低減される。この外側ハウジング１０７が、本発明における「防振ハウジング」に対応する。
【００２９】
電動ハンマ１００を上方から見た場合、本体部１０１の構成部材のうち、モータハウジング１０３とギアハウジング１０５は、図４に示すＸ方向に長い長方形の箱型に形成されている。以下、Ｘ方向を左右方向という。従って、当該モータハウジング１０３及びギアハウジング１０５を覆う外側ハウジング１０７も、図４に示すように、それに対応した左右方向に長い長方形の箱型に形成されている。
【００３０】
外側ハウジング１０７には、図１〜図５に示すように、電動ハンマ１００を操作するためのメインハンドル１０９が、ハンマビット１１９の長軸方向に延在する軸線の所定位置で当該軸線と直交する単一の直交面上に配置されている。メインハンドル１０９は、外側ハウジング１０７に固定された固定ハンドルであり、図１及び図４に示すように、ハンマビット１１９の長軸方向に延在する軸線を挟んで左右に配置され、具体的には軸線に関して左右対称に配置され、作業者の左右の手によりそれぞれ把持される一対のハンドル要素１５１によって構成されている。このメインハンドル１０９が、本発明における「ハンドル」に対応し、一対のハンドル要素１５１が、本発明における「一対のハンドル要素」に対応する。
メインハンドル１０９は、電動ハンマ１００の高さ方向における上方側、具体的には、外側ハウジング１０７のうち、ハンマビット１１９の長軸方向に関して、電動モータ１１０のモータ軸１１１と運動変換機構１２０のクランク軸１２１との間の中間領域に対応する位置に配置されている。
【００３１】
一対のハンドル要素１５１は、図４及び図５に示すように、外側ハウジング１０７のハンマビット１１９の長軸方向に平行な４つの面のうち、対向する２つの面、具体的には、電動ハンマ１００を上方から見て、辺の長さが短い左側と右側の各側面１０７ａに設けられている。ハンドル要素１５１のそれぞれは、左右方向に直交する図４に示すＹ方向に所定の間隔で配置された２つの接続部１５３と、２つの接続部１５３に連接された把持部１５５を備えている。以下、Ｙ方向を前後方向という。２つの接続部１５３は、一端が外側ハウジング１０７の側面１０７ａに接続され、前記直交面上において、当該側面１０７ａから離間する方向に直線状に延在されている。把持部１５５は、２つの接続部１５３の延在端部に連接するとともに、前記直交面上において、外側ハウジング１０７の側面１０７ａに沿って前後方向に直線状に延在している。換言すれば、接続部１５３は、ハンマビット１１９の長軸方向と直交する方向に延在し、把持部１５５は、ハンマビット１１９の長軸方向と直交する方向及び接続部１５３の延在方向とそれぞれ直交する方向に延在されている。これにより、ハンドル要素１５１それぞれは、電動ハンマ１００を上方から見て、２つの接続部１５３と把持部１５５により横向きのＵ字形に形成されている。従って、一対のハンドル要素１５１は、前記直交面が接続部１５３及び把持部１５５の全体を通るように配置された構成とされる。一対のハンドル要素１５１のうち、一方（図４の左側）のハンドル要素１５１の接続部１５３が、本発明における「第１接続部」に対応し、把持部１５５が、本発明における「第１把持部」に対応し、他方（図４の右側）のハンドル要素１５１の接続部１５３が、本発明における「第２接続部」に対応し、把持部１５５が、本発明における「第２把持部」に対応する。
【００３２】
一方のハンドル要素１５１の把持部１５５と、他方のハンドル要素１５１の把持部１５５は、互いに平行に配置されている。本実施形態では、メインハンドル１０９に正対した作業者から見て、２つの把持部１５５が前方に向かって互いに平行に延在する構成であり、２つの把持部１５５は、互いに平行に延在する方向と直交し、且つ前記直交面に平行する方向から見たときに、互いに全部が重なるように配置される構成とされる。なお、かかる構成は、２つの把持部１５５が右手前方あるいは左手前方に向かって互いに平行に延在する構成とすることも可能である。
【００３３】
接続部１５３と把持部１５５は、断面円形のパイプ状部材からなり、具体的には当該パイプ状部材の長軸方向に沿って２分割された左右の半割体を互いに接合することで構成される。そして、２つの接続部１５３の一端が外側ハウジング１０７の側面１０７ａにねじ部材１５７によって固定されることで接続される。これにより、各ハンドル要素１５１においては、電動ハンマ１００を上方から見て、外側ハウジング１０７の側面１０７ａを含めて環状に形成される。そして、当該ハンドル要素１５１と外側ハウジング１０７の側面１０７ａで囲まれる閉じ空間が、把持部１５５を把持する際に手指の挿入を許容する環状の空間を構成する。
【００３４】
一対のハンドル要素１５１のうち、一方の、具体的には、図４の左側のハンドル要素１５１の把持部１５５には、電動モータ１１０の駆動及び停止を操作するための押しボタンスイッチ１５９が設けられている。この押しボタンスイッチ１５９が、本発明における「スイッチ」に対応する。押しボタンスイッチ１５９は、大部分が把持部１５５内に収容されており、押しボタン１５９ａの一部が把持部１５５の外面に突出する構成とされる。そして、作業者が把持部１５５を把持する場合において、押しボタンスイッチ１５９の押しボタン１５９ａが手指或いは掌で押圧されたときに電動モータ１１０が駆動し、当該押圧が解除されたときに電動モータ１１０が停止するよう構成されている。そして、前述したように、接続部１５３と把持部１５５につき、パイプ状部材を長軸方向に沿って２分割とし、その分割された左右の半割体を接合して構成する場合であれば、押しボタンスイッチ１５９の把持部１５５への配置の容易化が可能となる。
【００３５】
また、接続部１５３と把持部１５５につき、分割された左右の半割体を接合する構成によれば、当該接合のために半割体の内側には、リブ状の接合用突起が設定される。この接合用突起は、接合された状態では、当該接続部１５３と把持部１５５の径方向に関する剛性を高め、強度の向上に資する。
【００３６】
また、本実施形態では、図２及び図３に示すように、地面等に横倒し状態に置かれた電動ハンマ１００を立ち上げるとき、あるいは運搬するとき等に使用されるサブハンドル１６１を備えている。サブハンドル１６１は、外側ハウジング１０７のハンマビット１１９の長軸方向に平行な４つの面のうち、電動ハンマ１００を上方から見て、長い辺を有する前面１０７ｂと後面１０７ｃに設けられている。下向き作業に使用される本実施形態の電動ハンマ１００の場合、ハンマビット１１９側に比べて電動モータ１１０及び運動変換機構１２０を収容するハウジング側が重く、電動ハンマ１００の重心Ｇ（図２参照）が電動ハンマ１００の上方側に位置している。サブハンドル１６１は、ハンマビット１１９の長軸方向に関して、重心Ｇの近くに配置されている。
【００３７】
サブハンドル１６１は、外側ハウジング１０７の前面１０７ｂと後面１０７ｃにそれぞれ備えられるＵ字形の可動ハンドルであり、当該前面１０７ｂの下方側に形成された凹部１０７ｄ及び後面１０７ｃの下方側に形成された凹部１０７ｅに配置されている。各サブハンドル１６１は、Ｕ字形の両方の自由端が外側ハウジング１０７に対して支軸１６３により回動自在に取り付けられている。そして、サブハンドル１６１は、非使用時には図３に実線で示すように、外側ハウジング１０７の凹部１０７ｄ，１０７ｅに前面１０７ｂ及び後面１０７ｃから突出しないように収納されるが、地面等に横倒し状に置かれた電動ハンマ１００を立ち上げるような場合には、支軸１６３を回動支点にして、凹部１０７ｄ，１０７ｅから突出した位置（図３の２点鎖線参照）へと引き出された状態で使用される。なお、サブハンドル１６１は、常に収納位置に向けてねじりバネ等で付勢される構成とすることが好ましい。
【００３８】
また、外側ハウジング１０７の前面１０７ｂ及び後面１０７ｃのうちの上方側には、当該前面１０７ｂ及び後面１０７ｃから外向きに突出する長円形状のゴムストッパ１６５が設けられている。当該ゴムストッパ１６５は、電動ハンマ１００が横倒し状態に置かれたときに、外側ハウジング１０７が地面に当接する前に地面に当接することで外側ハウジング１０７を保護するガード部材として備えられる。
【００３９】
本実施形態に係る電動ハンマ１００は、上記のように構成されている。従って、作業者は、外側ハウジング１０７の左側の側面１０７ａと右側の側面１０７ａに設けた一対のハンドル要素１５１の把持部１５５を左右の手により把持するとともに、ハンマビット１１９を下向きにした状態で押しボタンスイッチ１５９の押しボタン１５９ａを押動して電動モータ１１０を駆動し、ハンマビット１１９を直線動作させて被加工材に対しハツリ作業を行うことができる。
【００４０】
本実施形態によれば、本体部１０１の上部領域を覆うように設けた外側ハウジング１０７にメインハンドル１０９を接続するとともに、外側ハウジング１０７を本体部１０１に対して弾性部材を介して相対移動可能に連結する構成としている。このため、ハツリ作業時において、本体部１０１に発生した振動の外側ハウジング１０７への伝達が、本体部１０１と外側ハウジング１０７を連結する弾性部材の弾性変形によって低減される。このため、外側ハウジング１０７に接続されたメインハンドル１０９の振動も減少する。
【００４１】
本実施形態の電動ハンマ１００は、ハンマビット１１９を下側、メインハンドル１０９を上側にした下向き作業に使用される。かかる電動ハンマ１００の場合、その使用状態では、作業者がメインハンドル１０９に体を預けるような形態、すなわちメインハンドル１０９に体重を掛けるような形態で使用することがある。このような形態で作業を遂行する場合において、本実施形態の電動ハンマ１００によれば、一対のハンドル要素１５１の把持部１５５が、ハンマビット１１９の長軸方向に延在する軸線の所定位置で当該軸線と直交する単一の直交面上に関して、外側ハウジング１０７の側面１０７ａに沿って延在するように配置される。すなわち、電動ハンマ１００を上方から見て、一対のハンドル要素１５１の把持部１５５が、外側ハウジング１０７の側面１０７ａに沿って延在し、且つ同じ高さに位置する。このため、作業者は、手の甲が前後方向に平行になるように、換言すれば、左右の手を互いの掌が対向するように向けた状態でそれぞれ左右の把持部１５５を把持することが可能となり、メインハンドル１０９に体重を掛ける形態での作業を無理のない姿勢で楽に行うことができる。
【００４２】
また、本実施形態によれば、一対のハンドル要素１５１の把持部１５５は、ハンマビット１１９の長軸方向に延在する軸線と所定位置で直交する単一の直交面上において、外側ハウジング１０７の左側と右側の側面１０７ａに沿って前後方向に互いに平行に延在する構成としている。このため、例えば側面から離れる方向に延在する棒状グリップで構成される従来のハンドルと比べた場合、作業者が把持する把持部１５５の長さを容易に確保した上で、当該把持部１５５に関しての外側ハウジング１０７の側面１０７ａから交差状に離れる方向の突出量を小さく抑えることが可能となる。これにより、ハンマビット１１９の長軸方向と交差する方向に関する電動ハンマ１００の小型化が可能であり、使用性も向上する。
【００４３】
また、本実施形態によれば、メインハンドル１０９を構成する一対のハンドル要素１５１を外側ハウジング１０７の左側と右側の側面１０７ａに環状に設けている。作業現場では、電動ハンマ１００は横倒し状態に置かれる。本実施形態の電動ハンマ１００の場合、重心Ｇの位置がハンマビット１１９の長軸方向に延在する軸線上の上方側、すなわちクランク軸１２１の近くに存在する。このため、電動ハンマ１００が横倒し状態に置かれるとき、メインハンドル１０９が地面等から衝撃的な外力を受ける可能性がある。このとき、本実施形態によれば、一対のハンドル要素１５１において、２つの接続部１５３と把持部１５５と外側ハウジング１０７により環状に形成されているため、地面等からハンドルへと入力された衝撃が分散され易く、応力集中の回避に有効となり、一対の棒状グリップで構成される従来のハンドルに比べ、外力に対するハンドル強度を高めることができ、ひいてはモータハウジング１０３及びギアハウジング１０５を保護できる。
【００４４】
また、本実施形態によれば、外側ハウジング１０７の前面１０７ｂ及び後面１０７ｃにサブハンドル１６１を設けている。従って、横倒し状態に置かれた電動ハンマ１００を立ち上げるとき、あるいは運搬するときに、当該サブハンドル１６１を用いて電動ハンマ１００の立ち上げ作業や運搬作業を楽に行うことができる。サブハンドル１６１は、ハンマビット１１９の長軸方向に関して電動ハンマ１００の重心Ｇの近くに設定されるが、とりわけ運搬時の重量バランスを考慮して設置位置を設定することが好ましい。
【００４５】
また、本実施形態では、サブハンドル１６１を配置するために、外側ハウジング１０７の前面１０７ｂと後面１０７ｃには、凹部１０７ｄ，１０７ｅが設定される。この凹部１０７ｄ，１０７ｅの周面を形成する壁は、前面１０７ｂ又は後面１０７ｃに対して交差する面を構成し、これにより当該前面１０７ｂ又は後面１０７ｃの剛性を高めることが可能となる。結果として、外側ハウジング１０７に対するサブハンドル１６１の設定は、当該外側ハウジング１０７の強度向上に有効となる。
【００４６】
なお、本実施形態では、電動ハンマ１００を上方から見た場合の、ハンドル要素１５１の形状についてＵ字形としたが、Ｕ字形に限られず、側面１０７ａに接続される接続部１５３を１本とし、その１本の端部から把持部１５５が延在する形状、例えばＬ字形或いはＴ字形等に変更してもよい。
【００４７】
（本発明の第２実施形態）
次に本発明の第２実施形態の電動ハンマ１００につき、図６〜図９を参照しつつ説明する。この実施形態は、外側ハウジング１０７に接続されるメインハンドルに関する変形例であり、それ以外の構成については、前述した第１実施形態と同様なため、同一符号を付してその説明を省略する。
【００４８】
この実施形態に係るメインハンドル２０９は、外側ハウジング１０７に固定された固定ハンドルであり、第１のハンドル２５０と第２のハンドル２７０により構成されている。そして、図９に示すように、第１のハンドル２５０と第２のハンドル２７０は、その全体がハンマビット１１９の長軸方向に延在する軸線と所定位置で直交する単一の直交面上に配置されている。この第１のハンドル２５０が、本発明における「ハンドル」に対応し、第２のハンドル２７０が、本発明における「第２ハンドル」に対応する。
【００４９】
第１のハンドル２５０は、図９に示すように、外側ハウジング１０７のハンマビット１１９の長軸方向に平行な４つの面のうち、電動ハンマ１００を上方から見て、辺の長さが長い前面１０７ｂ及び後面１０７ｃに形成された一対の第１ハンドル要素２５１により構成されている。この一対の第１ハンドル要素２５１が、本発明における「一対のハンドル要素」に対応する。一対の第１ハンドル要素２５１のそれぞれは、左右方向に所定の間隔で配置された２つの接続部２５３と、２つの接続部２５３の端部に連接された把持部２５５を備えている。第１ハンドル要素２５１は、ハンマビット１１９の長軸方向に延在する軸線を挟んで前後に配置、具体的には軸線に関して前後対称に配置される。
【００５０】
外側ハウジング１０７の前面１０７ｂに接続された前側の２つの接続部２５３は、前記直交面上において、前面１０７ｂから離間する方向に直線状に延在され、これら２つの接続部２５３の延在端部に把持部２５５が連接して左右方向に直線状に延在している。また、同様に、外側ハウジング１０７の後面１０７ｃに接続された後側の２つの接続部２５３は、後面１０７ｃから離間する方向に直線状に延在されており、これら２つの接続部２５３の延在端部に把持部２５５が連接して左右方向に直線状に延在している。換言すれば、接続部２５３は、ハンマビット１１９の長軸方向と直交する方向に延在し、把持部２５５は、ハンマビット１１９の長軸方向と直交する方向及び接続部１５３の延在方向とそれぞれ直交する方向に延在されている。すなわち、把持部２５５は、前記直交面上において、外側ハウジング１０７の前面１０７ｂ、後面１０７ｃに沿って左右方向に直線状に延在している。従って、一対の第１ハンドル要素２５１は、前記直交面が接続部２５３及び把持部２５５の全体を通るように配置された構成とされる。一対の第１ハンドル要素２５１のうち、一方（図９の上側）の第１ハンドル要素２５１の接続部２５３が、本発明における「第１接続部」に対応し、把持部２５５が、本発明における「第１把持部」に対応し、他方（図９の下側）の第１ハンドル要素２５１の接続部２５３が、本発明における「第２接続部」に対応し、把持部２５５が、本発明における「第２把持部」に対応する。
【００５１】
一対の第１ハンドル要素２５１は、図９に示すように、電動ハンマ１００を上方から見て、Ｕ字形に形成され、そして、Ｕ字形の端部が外側ハウジング１０７の側面１０７ａと連接することにより環状に形成される。第１ハンドル要素２５１と外側ハウジング１０７の側面１０７ａで囲まれる閉じ空間が、把持部２５５を把持する際に手指の挿入を許容する。一方の第１ハンドル要素２５１の把持部２５５と、他方のハンドル要素２５１の把持部２５５は、互いに平行に配置されており、２つの把持部２５５は、互いに平行に延在する方向と直交し、且つ前記直交面に平行する方向から見たときに、互いに全部が重なるように配置される構成とされる。
【００５２】
第１ハンドル要素２５１のうち、一方の、具体的には、後側（図９の下側）の第１ハンドル要素２５１の把持部２５５には、電動モータ１１０の駆動及び停止を操作するための第１押しボタンスイッチ２５９が設けられている。この第１押しボタンスイッチ２５９が、本発明における「スイッチ」に対応する。第１押しボタンスイッチ２５９は、大部分が把持部２５５内に収容され、押しボタン２５９ａの一部が把持部２５５の外面に突出する構成とされる。そして、作業者が把持部２５５を把持する場合において、第１押しボタンスイッチ２５９の押しボタン２５９ａが手指或いは掌で押圧されたときに電動モータ１１０を駆動し、当該押圧が解除されたときに電動モータ１１０が停止するよう構成されている。
【００５３】
一方、メインハンドル２０９の構成部材の１つである第２のハンドル２７０は、図９に示すように、外側ハウジング１０７のハンマビット１１９の長軸方向に平行な４つの面のうち、電動ハンマ１００を上方から見て、短い辺を有する左側と右側の側面１０７ａに設けられた一対の第２ハンドル要素２７１により構成されている。一対の第２ハンドル要素２７１は、ハンマビット１１９の長軸方向に延在する軸線を挟んで左右に配置、具体的には軸線に関して左右対称に配置される。この一対の第２ハンドル要素２７１が、本発明における「一対の第２ハンドル要素」に対応する。
【００５４】
一対の第２ハンドル要素２７１のそれぞれは、前後方向に所定の間隔で配置された２つの接続部２７３と、２つの接続部２７３の端部に連接された把持部２７５を備え、当該接続部２７３が、第１ハンドル要素２５１の接続部２５５に連接された構成とされる。すなわち、本実施形態では、第２ハンドル要素２７１の把持部２７５は、第１ハンドル要素２５１の接続部２５５を介して外側ハウジング１０７に接続される構成としているが、外側ハウジング１０７に直接に接続してもよい。
【００５５】
第２ハンドル要素２７１のそれぞれについて、２つの接続部２７３は、前記直交面上において、側面１０７ａから離間する方向に直線状に延在され、これら２つの接続部２７３の延在端部に把持部２７５が連接して前後方向に直線状に延在している。換言すれば、接続部２７３は、ハンマビット１１９の長軸方向と直交する方向に延在し、把持部２７５は、ハンマビット１１９の長軸方向と直交する方向及び接続部２７３の延在方向とそれぞれ直交する方向に延在されている。すなわち、把持部２７５は、前記直交面上において、外側ハウジング１０７の側面１０７ａに沿って前後方向に概ね直線状に延在している。従って、一対の第２ハンドル要素２７１は、前記直交面が接続部２７３及び把持部２７５の全体を通るように配置された構成とされる。一対の第２ハンドル要素２７１のうち、一方（図９の左側）の第２ハンドル要素２７１の接続部２７３が、本発明における「第３接続部」に対応し、把持部２７５が、本発明における「第３把持部」に対応し、他方（図９の右側）の第２ハンドル要素２７１の接続部２７３が、本発明における「第４接続部」に対応し、把持部２７５が、本発明における「第４把持部」に対応する。
【００５６】
一対の第２ハンドル要素２７１は、図９に示すように、電動ハンマ１００を上方から見て、Ｕ字形或いはＣ字形に形成されており、そして、Ｕ字形或いはＣ字形の端部が外側ハウジング１０７の前面１０７ｂ又は後面１０７ｃに連接することで環状に形成される。第２ハンドル要素２７１と外側ハウジング１０７の前面１０７ｂ又は後面１０７ｃで囲まれる閉じ空間が、把持部２７５を把持する際に手指の挿入を許容する閉じ空間を構成する。一方の第２ハンドル要素２７１の把持部２７５と、他方のハンドル要素２７１の把持部２７５は、互いに平行に配置されており、２つの把持部２７５は、互いに平行に延在する方向と直交し、且つ前記直交面に平行する方向から見たときに、互いに全部が重なるように配置される構成とされる。
【００５７】
なお、第１ハンドル要素２５１及び第２ハンドル要素２７１の接続部２５３，２７３及び把持部２５５，２７５は、それぞれ断面円形のパイプ状部材からなり、具体的には当該パイプ状部材の長軸方向に沿って２分割された左右の半割体を互いに接合することで構成されている。
【００５８】
一対の第２ハンドル要素２７１のうち、一方の、具体的には、図９の左側の第２ハンドル要素２７１の把持部２７５には、電動モータ１１０の駆動及び停止を操作するための第２押しボタンスイッチ２７９が設けられている。この第２押しボタンスイッチ２７９が、本発明における「第２スイッチ」に対応する。第２押しボタンスイッチ２７９は、大部分が把持部２７５内に収容され、押しボタン２７９ａの一部が把持部２７５の外面に突出する構成とされる。そして、作業者が把持部２７５を把持する場合において、第２押しボタンスイッチ２７９の押しボタン２７９ａが手指或いは掌で押圧されたときに電動モータ１１０を駆動し、当該押圧が解除されたときに電動モータ１１０が停止するよう構成されている。
【００５９】
上記のように構成された本実施形態によれば、作業者の左右の手にそれぞれ把持される一対の第１ハンドル要素２５１で構成される第１のハンドル２５０と、一対の第２ハンドル要素２７１で構成される第２のハンドル２７０とを有している。そして、第１のハンドル２５０は、一方の把持部２５５に電動モータ１１０の駆動及び停止を操作可能な第１押しボタンスイッチ２５９を有し、また第２のハンドル２７０は、一方の把持部２７５に電動モータ１１０の駆動及び停止を操作可能な第２押しボタンスイッチ２７９を有している。
【００６０】
従って、作業者は、第１のハンドル２５０の把持部２５５を把持してハツリ作業を行う形態と、第２のハンドル２７０の把持部２７５を把持してハツリ作業を行う形態との間で、作業状況等に応じて把持形態を使い分けることができる。その場合、第１のハンドル２５０の一方の把持部２５５及び第２のハンドル２７０の一方の把持部２７５にそれぞれ電動モータ１１０の駆動及び停止を操作可能な押しボタンスイッチ２５９，２７９を備えているため、いずれの把持形態にあっても電動ハンマ１００の操作性を損なうことがない。
【００６１】
また、本実施形態によれば、ハンマビット１１９の長軸方向に延在する軸線と所定位置で直交する単一の直交面上において、第１のハンドル２５０の把持部２５５と第２のハンドル２７０の把持部２７５が、外側ハウジング１０７を囲む切れ目の無い環状に形成されている。このため、ハンドル強度を向上することが可能であるし、また電動ハンマ１００を、例えば地面に衝撃的に横倒し状に置いたとき、第１のハンドル２５０の把持部２５５と第２のハンドル２７０の把持部２７５が地面に当接することでバンパーとして機能し、これにより外側ハウジング１０７の地面等に対する直接の干渉を回避し、外側ハウジング１０７、延いては本体部１０１を保護できる。
【００６２】
また、本実施形態によれば、第１のハンドル２５０の一方の把持部２５５と他方の把持部２５５間の距離と、第２のハンドル２７０の一方の把持部２７５と他方の把持部２７５間の距離が異なる構成である。このため、外側ハウジング１０７が長方形状である場合において、各把持部２５５，２７５が合理的に配置される。
【００６３】
なお、第２実施形態では、第１のハンドル２５０の把持部２５５と第２のハンドル２７０の把持部２７５が互いに接続されて外側ハウジング１０７を囲む環状に形成された場合で説明したが、第１のハンドル２５０の把持部２５５と第２のハンドル２７０の把持部２７５が切り離されて配置される構成に変更してもよい。
【００６４】
また、第１及び第２実施形態では、本体部１０１に弾性部材を介して連結された外側ハウジング１０７にメインハンドル１０９，２０９を設ける構成としたが、外側ハウジング１０７を省略し、本体部１０１にメインハンドル１０９，２０９を設ける構成に変更してもよい。また、第１及び第２実施形態では、電動ハンマ１００を上方から見て、長方向状としたが、この形状に限定されるものではなく、例えば正方形でもよいし、円形あるいは楕円形であっても差し支えない。
【００６５】
また、第１及び第２実施形態では、メインハンドル１０９を構成する一対のハンドル要素１５１、一対の第１ハンドル要素２５１、一対の第２ハンドル要素２７１のそれぞれは、その全体が前記単一の直交面上に位置するように配置する構成としたが、各ハンドル要素の構成部材のうち、少なくとも把持部１５５，２５５，２７５それぞれの一部が前記直交面上に位置するように配置されていればよい。
【００６６】
また、接続部１５３，２５３，２７３については、電動ハンマ１００を側方あるいは前方から見て、水平方向に延在する構成に変えて、斜め上方或いは斜め下方に延在する構成、或いは延在途中に段差を有する構成に変更してもよい。
【００６７】
また、本実施形態は、打撃工具の例として、電動ハンマの場合で説明したが、ハンマビット１１９に長軸方向の直線動作と長軸方向周りの回転を行なわせるハンマドリルに適用してもよい。
【００６８】
なお、本発明の趣旨に鑑み、以下の如き態様を構成することができる。
（態様１）
「請求項１〜１０のいずれか１項に記載の打撃工具であって、
前記ハンドルは、前記工具本体のうち、前記先端工具の長軸方向に関して、打撃工具の重心位置を挟んで前記先端工具の反対側に配置されていることを特徴とする打撃工具。」
【００６９】
この態様１によれば、下向き作業をする場合において、ハンドルよりも下方に打撃工具の重心があるため、打撃工具の操作性が良い。
【００７０】
（態様２）
「態様１に記載の打撃工具であって、
前記工具本体に収容され、前記モータの回転を直線運動に変換して前記先端工具に伝達するクランク機構を有し、
前記モータのモータ軸と前記クランク機構のクランク軸は、互いに平行に、且つ前記先端工具の長軸方向に対しては交差状に配置され、
前記ハンドルは、前記工具本体のうち、前記先端工具の長軸方向に関して、前記モータの回転軸と運動変換機構のクランク軸との間の中間領域に対応する位置に配置されていることを特徴とする打撃工具。」
【００７１】
この態様２によれば、打撃工具の重心位置よりも上方にハンドルを配置することができる。
【００７２】
（態様３）
「請求項１に記載の打撃工具であって、
前記第１接続部、前記第２接続部、前記第１把持部及び前記第２把持部は、前記直交面が前記第１接続部、前記第２接続部、前記第１把持部及び前記第２把持部の全領域を通るように配置されていることを特徴とする打撃工具。」
【００７３】
この態様３によれば、前記第１接続部、前記第２接続部、前記第１把持部及び前記第２把持部の全てが、軸線方向に関して、同一高さ位置に配置されたハンドルを有する打撃工具が提供される。
【００７４】
（態様４）
「請求項６に記載の打撃工具であって、
前記第１接続部、前記第２接続部、前記第３接続部、前記第４接続部、前記第１把持部、前記第２把持部、前記第３把持部及び前記第４把持部は、前記直交面が前記第１接続部、前記第２接続部、前記第３接続部、前記第４接続部、前記第１把持部、前記第２把持部、前記第３把持部及び前記第４把持部の全領域を通るように配置されていることを特徴とする打撃工具。」
【００７５】
この態様４によれば、前記第１接続部、前記第２接続部、前記第３接続部、前記第４接続部、前記第１把持部、前記第２把持部、前記第３把持部及び前記第４把持部の全てが、軸線方向に関して、同一高さ位置に配置されたハンドル及び第２ハンドルを有する打撃工具が提供される。
【００７６】
（実施形態の各構成要素と本発明の構成要素との対応関係）
本実施形態における各構成要素と、本発明における構成要素との発明特定事項との関係は、以下のとおりである。もちろん、本実施形態における各構成要素は、対応する本発明の特定事項に関する一つの実施構成例に過ぎず、本発明の各構成要素はこれに限定されるものではない。
電動ハンマ１００が、本発明の「打撃工具」に対応する構成の一例である。
ハンマビット１１９が、本発明の「先端工具」に対応する構成の一例である。
本体部１０１が、本発明の「工具本体部」に対応する構成の一例である。
外側ハウジング１０７が、本発明の「防振ハウジング」に対応する構成の一例である。
メインハンドル１０９及び第１のハンドル２５０が、本発明の「ハンドル」に対応する構成の一例である。
一対のハンドル要素１５１及び一対の第１ハンドル要素２５１が、本発明の「一対のハンドル要素」に対応する構成の一例である。
一方のハンドル要素１５１の接続部１５３及び一方の第１ハンドル要素２５１の接続部２５３が、本発明の「第１接続部」に対応する構成の一例である。
一方のハンドル要素１５１の把持部１５５及び一方の第１ハンドル要素２５１の把持部２５５が、本発明の「第１把持部」に対応する構成の一例である。
他方のハンドル要素１５１の接続部１５３及び他方の第１ハンドル要素２５１の接続部２５３が、本発明の「第２接続部」に対応する構成の一例である。
他方のハンドル要素１５１の把持部１５５及び他方の第１ハンドル要素２５１の把持部２５５が、本発明の「第２把持部」に対応する構成の一例である。
押しボタンスイッチ１５９及び第１押しボタンスイッチ２５９が、本発明の「スイッチ」に対応する構成の一例である。
第２のハンドル２７０が、本発明の「第２ハンドル」に対応する構成の一例である。
一対の第２ハンドル要素２７１が、本発明の「一対の第２ハンドル要素」に対応する構成の一例である。
一方の第２ハンドル要素２７１の接続部２７３が、本発明の「第３接続部」に対応する構成の一例である。
一方の第２ハンドル要素２７１の把持部２７５が、本発明の「第３把持部」に対応する構成の一例である。
他方の第２ハンドル要素２７１の接続部２７３が、本発明の「第４接続部」に対応する構成の一例である。
他方の第２ハンドル要素２７１の把持部２７５が、本発明の「第４把持部」に対応する構成の一例である。
第２押しボタンスイッチ２７９が、本発明の「第２スイッチ」に対応する構成の一例である。
【符号の説明】
【００７７】
１００  電動ハンマ（打撃工具）
１０１  本体部（工具本体部）
１０３  モータハウジング
１０４  バレル部
１０５  ギアハウジング
１０７  外側ハウジング（防振ハウジング）
１０７ａ  側面
１０７ｂ  前面
１０７ｃ  後面
１０７ｄ  凹部
１０７ｅ  凹部
１０９  メインハンドル（ハンドル）
１１０  電動モータ
１１１  モータ軸
１１３  ギア減速機
１１９  ハンマビット（先端工具）
１２０  運動変換機構
１２１  クランク軸
１２３  連接ロッド
１２５  ピストン
１３１  ツールホルダ
１４０  打撃要素
１４１  シリンダ
１４１ａ  空気室
１４３  ストライカ
１４５  インパクトボルト
１５１  ハンドル要素（ハンドル要素）
１５３  接続部（第１接続部、第２接続部）
１５５  把持部（第１把持部、第２把持部）
１５７  ネジ部材
１５９  押しボタンスイッチ（スイッチ）
１５９ａ  押しボタン
１６１  サブハンドル
１６３  支軸
１６５  ゴムストッパ
２０９  メインハンドル
２５０  第１のハンドル（ハンドル）
２５１  第１ハンドル要素（ハンドル要素）
２５３  接続部（第１接続部、第２接続部）
２５５  把持部（第１把持部、第２把持部）
２５９  第１押しボタンスイッチ（スイッチ）
２５９ａ  押しボタン
２７０  第２のハンドル（第２ハンドル）
２７１  第２ハンドル要素（第２ハンドル要素）
２７３  接続部（第３接続部、第４接続部）
２７５  把持部（第３把持部、第４把持部）
２７９  第２押しボタンスイッチ（第２スイッチ）
２７９ａ  押しボタン
【図１】
2015066629.tif 000003
【図２】
2015066629.tif 000004
【図３】
2015066629.tif 000005
【図４】
2015066629.tif 000006
【図５】
2015066629.tif 000007
【図６】
2015066629.tif 000008
【図７】
2015066629.tif 000009
【図８】
2015066629.tif 000010
【図９】
2015066629.tif 000011